【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
ネットワークを介して相手端末とインターネットファクシミリ通信を実行する画像通信装置であって、
前記相手端末に送信する画像情報を暗号化する暗号化手段と、
前記画像情報が前記暗号化手段により暗号化される場合に、当該画像情報が暗号化されたものであることを示す付加情報を当該画像情報に付加する付加手段と、
前記付加情報が付加されて前記暗号化手段により暗号化された前記画像情報を、前記相手端末に送信する送信手段と、
を備えることを特徴とする画像通信装置。
【請求項２】
前記付加情報を作成する作成手段を更に備え、
前記付加手段は、前記作成手段により作成された付加情報を、前記画像情報の中のヘッダー領域に付加することを特徴とする請求項１に記載の画像通信装置。
【請求項３】
前記送信手段は、ＩＴＵ−Ｔ勧告Ｔ．３８に従って前記リアルタイム型インターネットファクシミリ通信を実行し、前記画像情報を送信することを特徴とする請求項１または２に記載の画像通信装置。
【請求項４】
前記暗号化手段は、ＩＰセキュリティプロトコルに従って、前記画像情報を含むＩＰパケットを暗号化することを特徴とする請求項１から３のいずれか１項に記載の画像通信装置。
【請求項５】
ネットワークを介して相手端末とインターネットファクシミリ通信を実行する画像通信装置であって、
前記相手端末から送信される画像情報を受信する受信手段と、
前記受信手段が受信した画像情報が暗号化されている場合に、該画像情報を復号化する復号化手段と、
前記受信手段が受信した画像情報が暗号化されている場合に、当該画像情報が暗号化されていたことを示す付加情報を、前記復号化手段により復号化された画像情報に付加する付加手段と、
前記付加情報が付加された画像情報を印刷する印刷手段と、
を備えることを特徴とする画像通信装置。
【請求項６】
前記付加情報を作成する作成手段を更に備え、
前記付加手段は、前記作成手段により作成された付加情報を、前記画像情報の中のフッター領域に付加することを特徴とする請求項５に記載の画像通信装置。
【請求項７】
前記受信手段は、ＩＴＵ−Ｔ勧告Ｔ．３８に従って前記リアルタイム型インターネットファクシミリ通信を実行し、前記画像情報を受信することを特徴とする請求項５または６に記載の画像通信装置。
【請求項８】
前記復号化手段は、ＩＰセキュリティプロトコルに従って、暗号化された前記画像情報を含むＩＰパケットを復号化することを特徴とする請求項５から７のいずれか１項に記載の画像通信装置。
【請求項９】
ネットワークを介して相手端末に送信する画像情報を暗号化する暗号化ステップと、
前記画像情報が前記暗号化ステップで暗号化される場合に、当該画像情報が暗号化されたものであることを示す付加情報を当該画像情報に付加する付加ステップと、
前記付加情報が付加されて前記暗号化ステップで暗号化された前記画像情報を、インターネットファクシミリ通信を実行して前記相手端末に送信する送信ステップと、
を備えることを特徴とする画像通信方法。
【請求項１０】
ネットワークを介して相手端末からインターネットファクシミリ通信を用いて送信される画像情報を受信する受信ステップと、
前記受信ステップで受信した画像情報が暗号化されている場合に、該画像情報を復号化する復号化ステップと、
前記受信ステップで受信した画像情報が暗号化されている場合に、当該画像情報が暗号化されていたことを示す付加情報を、前記復号化ステップで復号化された画像情報に付加する付加ステップと、
前記付加情報が付加された画像情報を印刷する印刷ステップと、
を備えることを特徴とする画像通信方法。
【請求項１１】
請求項９または１０に記載の画像通信方法をコンピュータに実行させるためのプログラム。
【手続補正２】
【補正対象書類名】明細書
【補正対象項目名】発明の名称
【補正方法】変更
【補正の内容】
【発明の名称】画像通信装置、画像通信方法、及びプログラム  
【手続補正３】
【補正対象書類名】明細書
【補正対象項目名】０００１
【補正方法】変更
【補正の内容】
【０００１】
本発明は、ＩＰパケットを暗号化して通信する経路暗号化通信（ＩＰセキュリティプロトコル通信）方式を用いたリアルタイム型インターネットファクシミリ通信（ＩＰ−ＦＡＸ通信）を実行する画像通信装置、画像通信方法、及びプログラムに関する。特に、ＩＰ−ＦＡＸ関連情報の送信及び受信文書への付加技術に特徴のある画像通信装置、画像通信方法、及びプログラムに関する。
【手続補正４】
【補正対象書類名】明細書
【補正対象項目名】０００７
【補正方法】変更
【補正の内容】
【０００７】
本発明の目的は、セキュリティが守られた状態で画像情報が通信されたことをユーザが容易に知ることができる画像通信装置、画像通信方法、及びプログラムを提供することにある。
【手続補正５】
【補正対象書類名】明細書
【補正対象項目名】０００８
【補正方法】変更
【補正の内容】
【０００８】
請求項１記載の画像通信装置は、ネットワークを介して相手端末とインターネットファクシミリ通信を実行する画像通信装置であって、前記相手端末に送信する画像情報を暗号化する暗号化手段と、前記画像情報が前記暗号化手段により暗号化される場合に、当該画像情報が暗号化されたものであることを示す付加情報を当該画像情報に付加する付加手段と、前記付加情報が付加されて前記暗号化手段により暗号化された前記画像情報を、前記相手端末に送信する送信手段とを備えることを特徴とする。
【手続補正６】
【補正対象書類名】明細書
【補正対象項目名】０００９
【補正方法】変更
【補正の内容】
【０００９】
請求項５記載の画像通信装置は、ネットワークを介して相手端末とインターネットファクシミリ通信を実行する画像通信装置であって、前記相手端末から送信される画像情報を受信する受信手段と、前記受信手段が受信した画像情報が暗号化されている場合に、該画像情報を復号化する復号化手段と、前記受信手段が受信した画像情報が暗号化されている場合に、当該画像情報が暗号化されていたことを示す付加情報を、前記復号化手段により復号化された画像情報に付加する付加手段と、前記付加情報が付加された画像情報を印刷する印刷手段とを備えることを特徴とする。
【手続補正７】
【補正対象書類名】明細書
【補正対象項目名】００１０
【補正方法】変更
【補正の内容】
【００１０】
請求項９記載の画像通信方法は、ネットワークを介して相手端末に送信する画像情報を暗号化する暗号化ステップと、前記画像情報が前記暗号化ステップで暗号化される場合に、当該画像情報が暗号化されたものであることを示す付加情報を当該画像情報に付加する付加ステップと、前記付加情報が付加されて前記暗号化ステップで暗号化された前記画像情報を、インターネットファクシミリ通信を実行して前記相手端末に送信する送信ステップとを備えることを特徴とする。
【手続補正８】
【補正対象書類名】明細書
【補正対象項目名】００１１
【補正方法】変更
【補正の内容】
【００１１】
請求項１０記載の画像通信方法は、ネットワークを介して相手端末からインターネットファクシミリ通信を用いて送信される画像情報を受信する受信ステップと、前記受信ステップで受信した画像情報が暗号化されている場合に、該画像情報を復号化する復号化ステップと、前記受信ステップで受信した画像情報が暗号化されている場合に、当該画像情報が暗号化されていたことを示す付加情報を、前記復号化ステップで復号化された画像情報に付加する付加ステップと、前記付加情報が付加された画像情報を印刷する印刷ステップとを備えることを特徴とする。
【手続補正９】
【補正対象書類名】明細書
【補正対象項目名】００１２
【補正方法】変更
【補正の内容】
【００１２】
請求項１１記載のプログラムは、請求項９または１０に記載の画像通信方法をコンピュータに実行させるためのプログラムである。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明によれば、セキュリティが守られた状態で画像情報が通信されたことをユーザが容易に知ることができる。